(57)【要約】【課題】衣類又はおむつの内部に配置して、排泄物を良好に吸収・保持させることが可能な吸収性物品を提供する。【解決手段】本発明の吸収性物品１は、吸収体２と、吸収体２の表面を被覆するように配置され、少なくとも一部が液透過性材料からなるトップシート３と、吸収体２の裏面を被覆するように配置され、液不透過性材料からなるバックシート４とを備え、衣類又はおむつの内部に装着されて排泄物吸収用として用いられる吸収性物品１であって、トップシート３の表面上に配置され、便を通過させ得る開口部及び／又は男性器を挿入し得る開口部１１が形成された肌面シート体５を更に備えたものである。【選択図】図１
2008125562.tif 000002
【特許請求の範囲】
【請求項１】
吸収体と、前記吸収体の表面を被覆するように配置され、少なくとも一部が液透過性材料からなるトップシートと、前記吸収体の裏面を被覆するように配置され、液不透過性材料からなるバックシートとを備え、衣類又はおむつの内部に装着されて排泄物吸収用として用いられる吸収性物品であって、
前記トップシートの表面上に配置され、便を通過させ得る開口部及び／又は男性器を挿入し得る開口部が形成された肌面シート体を更に備えた吸収性物品。
【請求項２】
前記肌面シート体は、前記バックシートの両側縁及びその長手方向の少なくとも一方の端部において接合されており、前記肌面シート体と前記トップシートとの間に袋状の空間が形成されている請求項１に記載の吸収性物品。
【請求項３】
前記肌面シート体は、前記バックシートの少なくとも一方の側縁からその側方に一体に延出された部分を前記トップシートの表面上に折り返して構成されたものである請求項１又は２に記載の吸収性物品。
【請求項４】
前記トップシートの表面に立体ギャザーが少なくとも一対形成されている請求項１〜３のいずれかに記載の吸収性物品。
【請求項５】
前記肌面シート体の前記トップシートと対向する面に立体ギャザーが少なくとも一対形成されている請求項１〜４のいずれかに記載の吸収性物品。
【請求項６】
前記肌面シート体の前記開口部の内周の一部に沿って伸縮材（開口部伸縮材）が配置されている請求項１〜５のいずれかに記載の吸収性物品。
【請求項７】
前記吸収性物品の長手側の略中央部で二つ折りにして使用される請求項６に記載の吸収性物品。
【請求項８】
前記肌面シート体と前記トップシートが、前記開口部よりも長手方向端部側の側縁と側縁との間の一部において接合されている請求項１〜７のいずれかに記載の吸収性物品。
【請求項９】
前記肌面シート体は、少なくとも前記開口部が形成されている領域が撥水性材料又は液不透過性材料からなるものである請求項１〜８のいずれかに記載の吸収性物品。
【請求項１０】
前記バックシートの裏面には、衣類又はおむつに固定するための固定手段を有している請求項１〜９のいずれかに記載の吸収性物品。
【請求項１１】
前記吸収性物品の長手方向の少なくとも一方の端部側に、伸縮材（端部伸縮材）が配置されている請求項１〜１０のいずれかに記載の吸収性物品。
【請求項１２】
前記肌面シート体の前記開口部に男性器を挿入して使用する男性用尿パッドである請求項１〜１１のいずれかに記載の吸収性物品。
【請求項１３】
衣類又はおむつの股下部近傍に配置して使用する尿便用パッドである請求項１〜１１のいずれかに記載の吸収性物品。
【請求項１４】
前記肌面シート体は、尿を透過させ得る尿透過領域を有している請求項１３に記載の吸収性物品。
【請求項１５】
吸収体と、前記吸収体の表面を被覆するように配置され、少なくとも一部が液透過性材料からなるトップシートと、前記吸収体の裏面を被覆するように配置され、液不透過性材料からなるバックシートと、前記トップシートの表面上に配置され、便を通過させ得る開口部及び／又は男性器を挿入し得る開口部が形成された肌面シート体とを備え、衣類又はおむつの内部に装着されて排泄物吸収用として用いられる吸収性物品の製造方法であって、
前記肌面シート体の前記開口部となる切り欠き部が形成された肌面シート前駆体を、その両側縁に有する前記バックシートを得る工程と、
前記バックシートの表面に前記吸収体を配置するとともに、前記バックシートの表面に配置した前記吸収体の表面を被覆するように前記トップシートを配置する工程と、
前記バックシートの両側縁から延出された前記肌面シート前駆体を、前記トップシートの表面上に折り返し、前記肌面シート前駆体の折り重なる部分の少なくとも一部を接合することにより、前記切り欠き部からなる前記開口部が形成された前記肌面シート体を形成する工程と、を備えた吸収性物品の製造方法。
【請求項１６】
前記肌面シート前駆体を、前記吸収体の側縁より外側において、前記トップシートの表面上に折り返す請求項１５に記載の吸収性物品の製造方法。
【請求項１７】
前記肌面シート前駆体を、前記吸収体の側縁の一部とともに、前記トップシートの表面上に折り返す請求項１５に記載の吸収性物品の製造方法。
【請求項１８】
前記肌面シート前駆体を折り返して形成した前記肌面シート体と、前記バックシートを、少なくとも一方の長手方向端部側で接合する工程を更に含む請求項１５〜１７のいずれかに記載の吸収性物品の製造方法。
【発明の詳細な説明】
【技術分野】
【０００１】
本発明は、吸収性物品及びその製造方法に関する。更に詳しくは、衣類又はおむつの内部に配置して、排泄物を良好に吸収・保持させることが可能な吸収性物品及びその製造方法に関する。
【背景技術】
【０００２】
従来、乳幼児用、或いは高齢者・障害者等の成人用の吸収性物品として、表面シートと、裏面シートと、両シートの間の一部に介装された吸収体とを備えた尿パッドや便用のパッドが用いられている。
【０００３】
上記した尿パッドは、トップシートの表面を着用者の肌に接するように宛がって使用することにより、着用者の排泄した尿はトップシートを透過して、吸収体によって吸収・保持されるとともに、防漏性に優れたバックシートによって、排泄物の外部への漏洩が防止されるというものである。
【０００４】
また、男性用に特化した吸収性物品として、男性器を被包して用いるタイプの男性用尿パッドが知られている（例えば、特許文献１参照）。この男性用尿パッドは、従来の使い捨ておむつや尿パッドと同様に、表面シート、裏面シート及び吸収体を備えた吸収性物品であるが、単に着用者に宛がうのではなく、男性器を被包して用いる点に特徴がある。
【０００５】
例えば、図２３に示す男性用尿パッド１００は、表面シート１０２と、裏面シート１０４と、両シートの間の一部に介装された吸収体１０６とを備えており、更に裏面シート１０４側の表面に、装着用の粘着部１０８が形成されている。このような男性用尿パッド１００は、その上端縁１１０が手前側（着用者の身体側）となるように男性器１１８の下側から宛がい、直線Ｌ１，Ｌ２に沿って、パッドの右側縁１１２、左側縁１１４をパッド中央側に折り返した後、粘着部１０８を左側縁１１４側の表面シート１０２に対して固定した状態で用いられる。こうすることにより、男性用尿パッド１００は、上端縁１１０側を開口部、下端縁１１６側を頂点とするコーン状（サック状）となるため、男性器１１８を被包することができる。なお、符号１３８は、パッド伸縮材を示す。
【０００６】
前記のような男性用尿パッドは男性器を被包した状態で用いるため、使い捨ておむつ、或いは単に衣類やおむつ上に載置して用いる尿パッドと比較して、排泄物と着用者の肌との接触面積を少なくすることができる。従って、排泄物に起因するスキントラブルを減少させることが可能となるという利点がある。
【０００７】
また、例えば、図示は省略するが、表面シートと裏面シートとの間に配設された吸収体を有し、吸収体の外側（外縁）に、長手方向（左右方向）に沿ってフラップ部が形成され、そのフラップ部の長手方向の略中央部に切り込み部（スリット）が形成された男性用尿パッド（例えば、特許文献２参照）や、予め袋状に成型された男性用尿パッド（例えば、特許文献３参照）についても提案されている。
【０００８】
【特許文献１】特開平８−２８０７２７号公報（段落０００３、図１）
【特許文献２】特開２００１−１２９０１２号公報（段落０００７、図１）
【特許文献３】特開平９−２９９３９２号公報（段落０００９、図１）
【発明の開示】
【発明が解決しようとする課題】
【０００９】
しかしながら、上記した特許文献１及び２に示す男性用尿パッドは、男性器から尿パッドがズレたり外れたりし易く、尿漏れを惹起するおそれがあるという問題があった。また、装着に非常に手間が掛かるという問題もあった。更に、特許文献２に示す男性用尿パッドは、スリットの部分で男性器が不自然な形で押さえつけられるため、快適な装着感が得られないという問題があった。
【００１０】
また、上記した特許文献３に記載の男性用尿パッドは、構造が複雑であるために、生産性が極めて低いという問題があった。
【００１１】
本発明は、このような従来技術の課題を解決するためになされたものであって、衣類又はおむつの内部に配置して、排泄物を良好に吸収・保持させることが可能な吸収性物品及びその製造方法を提供するものである。
【課題を解決するための手段】
【００１２】
本発明者は、前記のような従来技術の課題を解決するために鋭意検討した結果、吸収体とトップシートとバックシートとを備えた吸収性物品において、便を通過させ得る開口部及び／又は男性器を挿入し得る開口部が形成された肌面シート体をトップシートの表面上に配置することによって、上記課題が解決されることに想到し、本発明を完成させた。具体的には、本発明により、以下の吸収性物品及びその製造方法が提供される。
【００１３】
［１］  吸収体と、前記吸収体の表面を被覆するように配置され、少なくとも一部が液透過性材料からなるトップシートと、前記吸収体の裏面を被覆するように配置され、液不透過性材料からなるバックシートとを備え、衣類又はおむつの内部に装着されて排泄物吸収用として用いられる吸収性物品であって、前記トップシートの表面上に配置され、便を通過させ得る開口部及び／又は男性器を挿入し得る開口部が形成された肌面シート体を更に備えた吸収性物品。
【００１４】
［２］  前記肌面シート体は、前記バックシートの両側縁及びその長手方向の少なくとも一方の端部において接合されており、前記肌面シート体と前記トップシートとの間に袋状の空間が形成されている前記［１］に記載の吸収性物品。
【００１５】
［３］  前記肌面シート体は、前記バックシートの少なくとも一方の側縁からその側方に一体に延出された部分を前記トップシートの表面上に折り返して構成されたものである前記［１］又は［２］に記載の吸収性物品。
【００１６】
［４］  前記トップシートの表面に立体ギャザーが少なくとも一対形成されている前記［１］〜［３］のいずれかに記載の吸収性物品。
【００１７】
［５］  前記肌面シート体の前記トップシートと対向する面に立体ギャザーが少なくとも一対形成されている前記［１］〜［４］のいずれかに記載の吸収性物品。
【００１８】
［６］  前記肌面シート体の前記開口部の内周の一部に沿って伸縮材（開口部伸縮材）が配置されている前記［１］〜［５］のいずれかに記載の吸収性物品。
【００１９】
［７］  前記吸収性物品の長手側の略中央部で二つ折りにして使用される前記［６］に記載の吸収性物品。
【００２０】
［８］  前記肌面シート体と前記トップシートが、前記開口部よりも長手方向端部側の側縁と側縁との間の一部において接合されている前記［１］〜［７］のいずれかに記載の吸収性物品。
【００２１】
［９］  前記肌面シート体は、少なくとも前記開口部が形成されている領域が撥水性材料又は液不透過性材料からなるものである前記［１］〜［８］のいずれかに記載の吸収性物品。
【００２２】
［１０］  前記バックシートの裏面には、衣類又はおむつに固定するための固定手段を有している前記［１］〜［９］のいずれかに記載の吸収性物品。
【００２３】
［１１］  前記吸収性物品の長手方向の少なくとも一方の端部側に、伸縮材（端部伸縮材）が配置されている前記［１］〜［１０］のいずれかに記載の吸収性物品。
【００２４】
［１２］  前記肌面シート体の前記開口部に男性器を挿入して使用する男性用尿パッドである前記［１］〜［１１］のいずれかに記載の吸収性物品。
【００２５】
［１３］  衣類又はおむつの股下部近傍に配置して使用する尿便用パッドである前記［１］〜［１１］のいずれかに記載の吸収性物品。
【００２６】
［１４］  前記肌面シート体は、尿を透過させ得る尿透過領域を有している前記［１３］に記載の吸収性物品。
【００２７】
［１５］  吸収体と、前記吸収体の表面を被覆するように配置され、少なくとも一部が液透過性材料からなるトップシートと、前記吸収体の裏面を被覆するように配置され、液不透過性材料からなるバックシートと、前記トップシートの表面上に配置され、便を通過させ得る開口部及び／又は男性器を挿入し得る開口部が形成された肌面シート体とを備え、衣類又はおむつの内部に装着されて排泄物吸収用として用いられる吸収性物品の製造方法であって、前記肌面シート体の前記開口部となる切り欠き部が形成された肌面シート前駆体を、その両側縁に有する前記バックシートを得る工程と、前記バックシートの表面に前記吸収体を配置するとともに、前記バックシートの表面に配置した前記吸収体の表面を被覆するように前記トップシートを配置する工程と、前記バックシートの両側縁から延出された前記肌面シート前駆体を、前記トップシートの表面上に折り返し、前記肌面シート前駆体の折り重なる部分の少なくとも一部を接合することにより、前記切り欠き部からなる前記開口部が形成された前記肌面シート体を形成する工程と、を備えた吸収性物品の製造方法。
【００２８】
［１６］  前記肌面シート前駆体を、前記吸収体の側縁より外側において、前記トップシートの表面上に折り返す前記［１５］に記載の吸収性物品の製造方法。
【００２９】
［１７］  前記肌面シート前駆体を、前記吸収体の側縁の一部とともに、前記トップシートの表面上に折り返す前記［１５］に記載の吸収性物品の製造方法。
【００３０】
［１８］  前記肌面シート前駆体を折り返して形成した前記肌面シート体と、前記バックシートを、少なくとも一方の長手方向端部側で接合する工程を更に含む前記［１５］〜［１７］のいずれかに記載の吸収性物品の製造方法。
【発明の効果】
【００３１】
本発明の吸収性物品は、衣類又はおむつの内部に配置して、排泄物を良好に吸収・保持させることができる。この本発明の吸収性物品は、簡素な構造であるため、簡便かつ低コストに製造することができる。また、本発明の吸収性物品の製造方法によれば、上記した本発明の吸収性物品を、簡便かつ低コストに製造することができる。特に、本発明の吸収性物品の製造方法は、従来のテープ型おむつ等を生産するための既存の生産ラインを応用して生産することができるため、設備コストの面においても優れている。
【００３２】
本発明の吸収性物品は、男性用尿パッドや尿便用パッドとして好適に用いることができ、例えば、本発明の吸収性物品を男性用尿パッドとして用いた場合には、尿漏れを有効に防止することができるとともに、尿パッドがズレたり外れたりし難い。更に、装着が簡便であり、装着感も良好である。一方、衣類又はおむつの股下部近傍に配置して使用する尿便用パッドとして用いた場合には、肌面シート体とトップシートとの間に便が収納されるため、着用者の股下部や臀部に便が付着することがなく、着用者のスキントラブルを有効に防止することができる。
【発明を実施するための最良の形態】
【００３３】
以下、本発明の吸収性物品を実施するための最良の形態について図面を参照しつつ具体的に説明する。但し、本発明はその発明特定事項を備える吸収性物品を広く包含するものであり、以下の実施形態に限定されるものではない。
【００３４】
［１］吸収性物品：
本発明の吸収性物品は、吸収体と、吸収体の表面を被覆するように配置され、少なくとも一部が液透過性材料からなるトップシートと、吸収体の裏面を被覆するように配置され、液不透過性材料からなるバックシートとを備え、衣類又はおむつの内部に装着されて排泄物吸収用として用いられる吸収性物品であって、トップシートの表面上に配置され、便を通過させ得る開口部及び／又は男性器を挿入し得る開口部が形成された肌面シート体を更に備えた吸収性物品である。
【００３５】
このような吸収性物品は、衣類又はおむつの内部に配置して、排泄物を良好に吸収・保持させることができる。また、本発明の吸収性物品は、簡素な構造であるため、簡便かつ低コストに製造することができる。本発明の吸収性物品は、男性用尿パッドや尿便用パッド（特に便用パッド）として特に好適に用いることができ、例えば、本発明の吸収性物品を男性用尿パッドとして用いた場合には、尿漏れを有効に防止することができるとともに、尿パッドがズレたり外れたりし難い。更に、装着が簡便であり、装着感も良好である。一方、衣類又はおむつの股下部近傍に配置して使用する尿便用パッドとして用いた場合には、肌面シート体とトップシートとの間に便が収納されるため、着用者の股下部や臀部に便が付着することがなく、着用者のスキントラブルを有効に防止することができる。
【００３６】
以下、本発明の吸収性物品を実施するための最良の形態について、男性用尿パッドと尿便用パッドとのそれぞれの例について図面を参照しつつ更に具体的に説明する。
【００３７】
［２］男性用尿パッド：
まず、本発明の吸収性物品を男性用尿パッドとして用いた場合の例について説明する。図１〜図３に示すように、本発明の吸収性物品１の一の実施形態である男性用尿パッド１ａは、吸収体２と、吸収体２の表面を被覆するように配置され、少なくとも一部が液透過性材料からなるトップシート３と、吸収体２の裏面を被覆するように配置され、液不透過性材料からなるバックシート４と、トップシート３の表面上に配置され、男性器を挿入し得る開口部１１が形成された肌面シート体５とを備えている。この男性用尿パッド１ａは、肌面シート体５の開口部１１に男性器を挿入して、尿を吸収するために用いられるものである。ここで、図１は、本発明の吸収性物品の一の実施形態を示す平面図であり、図２は、図１に示す吸収性物品をＡ−Ａ’線に沿って切断した断面を示す概略断面図であり、図３は、図１に示す吸収性物品をＢ−Ｂ’線に沿って切断した断面を示す概略断面図である。
【００３８】
本実施形態の男性用尿パッド１ａは、男性器は肌面シート体５の開口部１１によって把持されるため、男性器に対する固定効果が高く、尿漏れの原因となる尿パッドのズレや外れを有効に防止することが可能となる。また、着用者の肌の大部分（即ち、肌面シート体５の開口部１１に挿入した男性器以外の部分）には、肌面シート体５が接触するため、着用者の肌とトップシート３とが離隔されることになる。これにより、良好な装着感を得ることができる。
【００３９】
本実施形態の男性用尿パッドは、例えば、図４に示すように、肌面シート体５の開口部１１に男性器２１を挿入した後、男性用尿パッド１ａの長手側の略中央部で二つ折りにして装着する。このように構成することによって、男性器２１の先端部分を男性用尿パッド１ａにて包み込むように把持することができ、固定効果を高くすることができる。
【００４０】
図１に示すように、本実施形態の男性用尿パッド１ａにおいては、肌面シート体５の開口部１１の内周の一部に沿って伸縮材１２（以下、「開口部伸縮材」といことがある）が配置されていることが好ましい。このように構成することによって、着用者の男性器２１（図４参照）のサイズに応じて開口部１１を伸縮させることができ、男性器２１（図４参照）を固定する効果を更に向上させることができる。また、着用者の男性器のサイズに拘らず、良好な固定効果が得られるので、男性器が萎縮してしまうことが多い高齢者・障害者等に特に好適に用いることができる。例えば、図２３に示すような従来の男性用尿パッドは、シート状のパッドをコーン状（サック状）に折り返して粘着部によって固定し、男性器を被包するものであるため、この粘着部に陰毛や衣類が張り付いてしまうことがあるため、極めて使用し難いものであった。
【００４１】
また、このような開口部伸縮材１２を配設することにより、図４に示すように、男性用尿パッド１ａ（吸収性物品１）の長手側の略中央部で二つ折りにして用いた場合に、肌面シート体５が伸縮して、肌面シート体５とトップシート３との間に空間が形成される。このため、開口部１１に挿入した男性器２１から排泄を行った場合に、この空間に着用者の尿を一時的に貯留することができ、例えば、一度に排泄される尿の量が多い場合でも、尿が外部に漏れ難くなる。また、開口部伸縮材１２を配設することにより、男性用尿パッド１ａの長手方向の両端部を広げるように引き伸ばすことにより、開口部１１の大きさを調整することができ、男性器２１の締め付け具合を容易に調節することができる。なお、本実施形態の男性用尿パッド１ａは、予め長手側の略中央部で二つ折りにされた状態となっており、使用する際に、この男性用尿パッド１ａの両端部を広げるように引き伸ばしてから用いるものであることが好ましい。ここで、図４は、図１に示す吸収性物品を男性用尿パッドとして用いた際の着用状態を示す説明図である。
【００４２】
なお、本実施形態の男性用尿パッド１ａにおいては、予め長手側の略中央部で二つ折りに折り曲げた状態となっており、使用する際に、この男性用尿パッド１ａの両端部を広げるように引き伸ばしてから用いるものであることが好ましい。このように構成することによって、男性器２１の先端部分を男性用尿パッド１ａにて包み込むように良好に把持することができ、固定効果を更に高くすることができる。
【００４３】
また、本実施形態の男性用尿パッド１ａにおいては、図５及び図６に示すように、肌面シート体５が、バックシート４の両側縁３１（３１ａ，３１ｂ）及びその長手方向の少なくとも一方の端部３２（図５及び図６においては、両方の端部３２ａ，３２ｂ）において接合されており、肌面シート体５とトップシート３との間に袋状の空間３３が形成されていることが好ましい。このように構成することによって、上記した袋状の空間３３内にて尿が保持されるため、例えば、一度に排泄される尿の量が多い場合でも、尿が外部に漏れてしまうことがない。ここで、図５は、本発明の吸収性物品の他の実施形態を示す平面図であり、図６は、図５に示す吸収性物品をＣ−Ｃ’線に沿って切断した断面を示す概略断面図である。なお、肌面シート体５とバックシート４を接合させる方法については特に制限はないが、例えば、ヒートシールをはじめとする熱や超音波等による従来公知の接合方法を好適に用いることができる。
【００４４】
また、図１〜図３に示すように、本実施形態の男性用尿パッド１ａにおいては、肌面シート体５が、バックシート４の少なくとも一方の側縁３１（図１〜図３においては、両方の側縁３１ａ，３１ｂ）からその側方に一体に延出された部分をトップシート３の表面上に折り返して構成されたものであることが好ましい。例えば、図７及び図８に示すように、バックシート４の両側縁３１ａ，３１ｂからその側方に一体に延出された肌面シート前駆体としてのサイドフラップ５ａ，５ｂをトップシート３の表面上に折り返して、それぞれのサイドフラップ５ａ，５ｂが重なる部分を接合して形成された肌面シート体５（図１参照）を挙げることができる。肌面シート体５をこのようにして構成する場合には、それぞれのサイドフラップ５ａ，５ｂをトップシート３の表面上に折り返した際に、その一部同士が重なり合わない箇所を設けて、図１に示すような肌面シート体５の開口部１１を形成する。このようにして構成された男性用尿パッド１ａは、簡素な構造であるため、簡便かつ低コストに製造することができる。また、従来のテープ型おむつ等を生産するための既存の生産ラインを応用して生産することができるため、設備コストの面においても優れている。ここで、図７及び図８は、本発明の吸収性物品の一の実施形態を展開した状態を示す平面図である。
【００４５】
また、図１〜図３に示すように、本実施形態の男性用尿パッド１ａにおいては、トップシート３の表面に立体ギャザー１３（１３ａ，１３ｂ）が少なくとも一対形成されていることが好ましい。このように構成することによって、着用者の排泄した尿の横漏れを有効に防止することができる。
【００４６】
また、図９及び図１０に示すように、肌面シート体５のトップシート３と対向する面に立体ギャザー１４（１４ａ，１４ｂ）が少なくとも一対形成されていてもよい。このような立体ギャザー１４は、肌面シート体５の開口部１１の逆止弁としての機能を持たすことができ、開口部１１からの尿の逆流を有効に防止することができる。このような立体ギャザー１４は、開口部１１の内側に向かって傾倒する内倒しギャザーであってもよいが、開口部１１からの尿の逆流を有効に防止することができるように吸収性物品１の外側（具体的には、開口部１１の開口部位より外側）に向かって傾倒する外倒しギャザーであることが好ましい。ここで、図９は、本発明の吸収性物品の他の実施形態を示す平面図であり、図１０は、図９に示す吸収性物品をＤ−Ｄ’線に沿って切断した断面を示す概略断面図である。
【００４７】
また、本実施形態の男性用尿パッドにおいては、図１１に示すように、肌面シート体５とトップシート３が、開口部１１よりも長手方向端部３２側の側縁３１ａと側縁３１ｂとの間の一部において接合されていてもよい。なお、符号１７は、肌面シート体とトップシートの接合部を示す。着用者が排泄した尿は、トップシート３を透過し、吸収体２によって吸収・保持されるため、肌面シート体５とトップシート３があまりにも離れすぎてしまうと、尿がトップシート３を透過し難くなり、結果として吸収体２に吸収される速度が遅くなることがある。このように構成することによって、男性器２１（図４参照）を挿入する空間を確保しつつ、尿を良好に吸収させることができる。なお、肌面シート体５とトップシート３を接合させる方法については特に制限はないが、例えば、ヒートシールをはじめとする熱や超音波等による従来公知の接合方法を好適に用いることができる。ここで、図１１は、本発明の吸収性物品の他の実施形態を示す平面図である。
【００４８】
なお、図１１においては、肌面シート体５とトップシート３が、吸収性物品１の長手方向（開口部１１から端部３２の方向）にストライプ状に接合されて接合部１７が形成されているが、この形状に限定されることはない。例えば、図示は省略するが、吸収性物品の一方の側縁から他方の側縁に向けてストライプ状に接合されていてもよいし、所定の間隔をあけてドット状に接合されていてもよい。
【００４９】
また、本実施形態の男性用尿パッドにおいては、図１２に示すように、男性用尿パッド１ａ（吸収性物品１）の長手方向の少なくとも一方の端部３２側に、伸縮材１５（以下、「端部伸縮材」ということがある）が配置されていることが好ましい。このように端部伸縮材１５を配置することによって、男性用尿パッド１ａの長手方向の少なくとも一方の端部３２側を収縮させることができ、端部伸縮材１５が配置されている側を、着用者の股下部側に位置させることにより、着用者の体にフィットし易くなり、装着感をより向上させることができる。ここで、図１２は、本発明の吸収性物品の他の実施形態を示す平面図である。
【００５０】
図１〜図３に示す男性用尿パッド１ａは、バックシート４からその側方に一体に延出された肌面シート体５が、吸収体２の側縁より外側においてトップシート３の表面上に折り返されて構成されたものである。例えば、本実施形態の男性用尿パッド１ａは、図１３及び図１４に示すように、バックシート４からその側方に一体に延出された肌面シート体５が、吸収体２の側縁の一部とともに、トップシート３の表面上に折り返されて構成されたものであってもよい。このように構成することによって、折り返された吸収体２の一部が防漏壁の役割を果たし、図２に示すような立体ギャザー１３を配置しなくとも、着用者の排泄した尿の横漏れを有効に防止することができる。ここで、図１３は、本発明の吸収性物品の他の実施形態を示す平面図であり、図１４は、図１３に示す吸収性物品をＥ−Ｅ’線に沿って切断した断面を示す概略断面図である。
【００５１】
［３］尿便用パッド：
次に、本発明の吸収性物品を尿便用パッドとして用いた場合の例を説明する。図１〜３に示すように、本発明の吸収性物品１の他の実施形態である尿便用パッド１ｂは、吸収体２と、吸収体２の表面を被覆するように配置され、少なくとも一部が液透過性材料からなるトップシート３と、吸収体２の裏面を被覆するように配置され、液不透過性材料からなるバックシート４と、トップシート３の表面上に配置され、便を通過させ得る開口部１１が形成された肌面シート体５とを備えている。この尿便用パッド１ｂは、衣類又はおむつの股下部近傍に配置して使用するものであり、着用者の便と尿とを吸収・保持させて、衣類又はおむつの外部への漏洩を防止することができる。なお、本実施形態の尿便用パッド１ｂは、これまでに説明した本発明の一の実施形態である男性用尿パッド１ａとは、その使用方法が異なるのみで、パッド自体の構成は同一である。
【００５２】
従来の尿便用パッドは、吸収体に窪みを設けて便を収納するための空間を形成したり、着用者の排泄した便の拡散を防止するために、トップシートに目の粗い素材のものを使用したりしているが、実際にはトップシート上に大部分の便が残存してしまうため、着用者の股下部や臀部に便が付着してしまう。このため、着用の際には、煩瑣な払拭作業が必要となり、育児負担や介護負担を増大させる原因となる他、着用者のスキントラブルの原因ともなっていた。
【００５３】
本実施形態の尿便用パッド１ｂにおいては、着用者が排泄した便は、開口部１１を通過してトップシート３上に落下することになり、便と着用者の肌とが直接接触する機会を大幅に減少させることが可能となる。また、着用者の肌には、まず肌面シート体５が接触するため、肌面シート体５の下部に配置されるトップシート３は着用者の肌と直接接触し難くなる。即ち、着用者の肌とトップシート３とが離隔されることになる。更に、トップシート３と着用者の肌との間に肌面シート体５という遮蔽層が介在していることにもなる。従って、たとえトップシート３上に便が残存していたとしても、その便と着用者の肌とが直接接触する機会を大幅に減少させる効果を奏する。このため、着用者の股下部や臀部に便が付着し難くなっており、払拭作業等の手間を軽減することができるとともに、着用者のスキントラブルを有効に防止することができる。特に、本実施形態の尿便用パッド１ｂは、水様便、泥状便、固形便等の便性状をとわず、どのような便においても良好に対応することができる。
【００５４】
もちろん、本実施形態の尿便用パッド１ｂは、着用者の便をトップシート３上で保持するだけではなく、着用者の排泄した尿を吸収体２によって吸収・保持させることもできる。例えば、肌面シート体として、尿を透過させ得る尿透過領域を有するものを用いることにより、着用者の排泄した尿を、肌面シート体の尿透過領域及びトップシートを透過させ、吸収体によって吸収・保持することができる。吸収体によって吸収・保持された尿は、防漏性に優れたバックシートによって外部への漏洩が防止される。
【００５５】
このような尿透過領域は、肌面シート体に尿を透過させ得る開口部を別途形成してもよいし、肌面シート体の一部を液透過性材料によって形成し、この液透過性材料によって形成された部位を尿透過領域としてもよい。
【００５６】
本実施形態の尿便用パッド１ｂにおいては、肌面シート体５の開口部１１の内周の一部に沿って開口部伸縮材１２が配置されていることが好ましい。このように構成することによって、図１５に示すように、肌面シート体５が伸縮することにより、尿便用パッド１ｂ（吸収性物品１）の長手側の略中央部（具体的には、開口部１１が形成された部分）が二つ折りに折り曲がり、開口部１１が大きく広がる。このため、開口部１１に便を通過させ易くなる。また、肌面シート体５とトップシート３との間に空間が形成されるため、着用者の便を一時的に貯留する空間を形成することができ、例えば、一度に排泄される便の量が多い場合でも、この空間にて便を良好に保持することができる。ここで、図１５は、図１に示す吸収性物品を長手側の略中央部にて折り曲げた状態を示す斜視図である。
【００５７】
なお、本実施形態の尿便用パッド１ｂにおいては、予め長手側の略中央部で二つ折りに折り曲げた状態となっており、使用する際に、この尿便用パッド１ｂの両端部を広げるように引き伸ばしてから用いるものであることが好ましい。このように構成することによって、上記した肌面シート体５とトップシート３との間の空間を良好に形成することができる。
【００５８】
また、本実施形態の尿便用パッド１ｂにおいては、図５及び図６に示すように、肌面シート体５が、バックシート４の両側縁３１（３１ａ，３１ｂ）及びその長手方向の少なくとも一方の端部３２（図５及び図６においては、両方の端部３２ａ，３２ｂ）において接合されており、肌面シート体５とトップシート３との間に袋状の空間３３が形成されていることが好ましい。このように構成することによって、上記した袋状の空間３３内にて排泄物（便及び尿）が保持されるため、例えば、一度に排泄される排泄物の量が多い場合でも、排泄物が外部に漏れてしまうことがない。また、着用者に付着する便の量を少なくすることができる。更に、尿便用パッド１ｂを交換する際に、排泄物の流出やこぼれ落ちが防止されるため、衣類やシーツ等の寝具を汚すことがない。
【００５９】
また、本実施形態の尿便用パッド１ｂは、上記した男性用尿パッド１ａと同様に、肌面シート体５が、バックシート４の少なくとも一方の側縁３１（図１〜図３においては、両方の側縁３１ａ，３１ｂ）からその側方に一体に延出された部分をトップシート３の表面上に折り返して構成されたものであることが好ましい。このようにして構成された尿便用パッド１ｂは、簡素な構造であるため、簡便かつ低コストに製造することができる。また、従来のテープ型おむつ等を生産するための既存の生産ラインを応用して生産することができるため、設備コストの面においても優れている。
【００６０】
また、図１〜図３に示すように、本実施形態の尿便用パッド１ｂにおいては、トップシート３の表面に立体ギャザー１３が少なくとも一対形成されていることが好ましい。このように構成することによって、着用者の排泄した排泄物（特に尿）の横漏れを有効に防止することができる。
【００６１】
また、図９及び図１０に示すように、肌面シート体５のトップシート３と対向する面に立体ギャザー１４が少なくとも一対形成されていてもよい。このような立体ギャザー１４は、肌面シート体５の開口部１１の逆止弁としての機能を持たすことができ、開口部１１からの尿や水様便等の排泄物の逆流を有効に防止することができる。このような立体ギャザー１４は、開口部１１の内側に向かって傾倒する内倒しギャザーであってもよいが、開口部１１からの排泄物の逆流を有効に防止することができるように吸収性物品１の外側（具体的には、開口部１１の開口部位より外側）に向かって傾倒する外倒しギャザーであることが好ましい。
【００６２】
また、本実施形態の尿便用パッド１ｂにおいては、図１１に示すように、肌面シート体５とトップシート３が、開口部１１よりも長手方向端部３２側の側縁３１ａと側縁３１ｂとの間の一部において接合されていてもよい。なお、肌面シート体５とトップシート３を接合させる方法については特に制限はないが、例えば、ヒートシールをはじめとする熱や超音波等による従来公知の接合方法を好適に用いることができる。
【００６３】
図１〜図３に示す尿便用パッド１ｂは、バックシート４からその側方に一体に延出された肌面シート体５が、吸収体２の側縁より外側においてトップシート３の表面上に折り返されて構成されたものである。例えば、本実施形態の尿便用パッド１ｂは、図１３及び図１４に示すように、バックシート４からその側方に一体に延出された肌面シート体５が、吸収体２の側縁の一部とともに、トップシート３の表面上に折り返されて構成されたものであってもよい。このように構成することによって、折り返された吸収体２の一部が防漏壁の役割を果たし、図２に示すような立体ギャザー１３を配置しなくとも、着用者の排泄した尿の横漏れを有効に防止することができる。
【００６４】
［４］肌面シート体：
肌面シート体は、着用者の肌とトップシートとを離隔するためのシート体であり、トップシートの表面上に配置され、便を通過させ得る開口部及び／又は男性器を挿入し得る開口部が形成されたものである。この肌面シート体を備えることによって、着用者の肌には、まず肌面シート体が接触するため、肌面シート体の下部に配置されるトップシートは着用者の肌と直接接触し難くなる。即ち、着用者の肌とトップシートとが離隔されることになる。また、トップシートと着用者の肌との間に肌面シート体という遮蔽層が介在していることにもなる。
【００６５】
肌面シート体を構成する材料としては、例えば、ポリエチレン、ポリプロピレン、ポリエステル等の樹脂からなる不織布、メッシュシート、フィルム等を用いることができる。
【００６６】
なお、本発明の吸収性物品を男性用尿パッドとして用いる場合には、肌触りが良好である点において、不織布を用いることが好ましい。男性用尿パッドとして用いる場合には、肌面シート体の開口部に男性器を挿入した状態で排泄を行うため、肌面シート体は、排泄した尿が透過しないように構成されていることが好ましい。このため、肌面シート体の開口部が形成されている領域は、撥水性材料又は液不透過性材料からなるものであることが好ましい。特に、長時間着用した際にもさらっとした触感（ドライ性）を維持することができるという点において、撥水性材料（撥水性の不織布等）であることが好ましい。
【００６７】
また、本発明の吸収性物品を尿便用パッドとして用いる場合には、肌触りが良好である点において、不織布を用いることが好ましい。これらの材料は、液透過性であっても、液不透過性であっても、撥水性であってもよい。但し、長時間着用した際にもさらっとした触感（ドライ性）を維持することができるという点において、肌面シート体の少なくとも開口部が形成されている領域は、撥水性材料（撥水性の不織布等）からなるものであることが好ましい。なお、上記したように、尿便用パッドとして用いる場合には、肌面シート体の一部に液透過性材料を用いることにより、尿を透過させ得る尿透過領域を形成してもよい。
【００６８】
肌面シート体は、図７及び図８に示すように、バックシート４の両側縁３１ａ，３１ｂからその側方に一体に延出されたサイドフラップ５ａ，５ｂをトップシート３の表面上に折り返すことによって形成することもできるし、図示は省略するが、例えば、開口部が形成されたシート体を、トップシートの表面上に別途配置することによって形成することもできる。
【００６９】
肌面シート体の開口部の形状については特に制限はないが、その用途に応じて適宜選択することができる。例えば、男性用尿パッドとして用いる場合には、男性器を挿入して良好に保持することができるような形状、例えば、円形開口部、楕円形開口部、菱形開口部等のいわゆる開口部（孔）を挙げることができる。また、尿便用パッドとして用いる場合には、衣類又はおむつの股下部近傍に配置して排泄を行った際に、排泄された便を良好に通過させることができるような形状、例えば、円形開口部、楕円形開口部、菱形開口部等のいわゆる開口部（孔）の他、直線状スリット、十字状スリット、３本以上のスリットを交差させた星型スリット等のスリット等を挙げることができる。更に、図１６及び図１７に示すように、その吸収性物品１の長手方向端部３２や側縁３１の一部に開口部１１が掛かるような切り欠き状の開口部１１であってもよい。ここで、図１６及び図１７は、本発明の吸収性物品の他の実施形態を示す平面図である。
【００７０】
なお、肌面シート体が、バックシートの少なくとも一方の側縁から延出されたものである場合には、図７及び図８に示すような、バックシート４の両側縁３１ａ，３１ｂからその側方に一体に延出されたサイドフラップ５ａ，５ｂにおいて、開口部１１（図１参照）の形状に対応する切り欠き部４６を形成しておき、それぞれのサイドフラップ５ａ，５ｂをトップシート３の表面上に折り返した際に、この切り欠き部４６によって開口部１１（図１参照）が形成されるようにしてもよい。
【００７１】
また、本発明の吸収性物品を尿便用パッドとして用いる場合には、肌面シート体に、尿を透過させ得る尿透過領域として、尿通過用開口部を別途形成してもよい。尿通過用開口部を形成することによって、その開口部を通過させて着用者の排泄した尿を肌面シート体とトップシートとの間の空間に確実に流入させることができる。この尿通過用開口部は、上記した便を通過させ得る開口部よりも着用者の前身頃側の部分に形成することが好ましい。
【００７２】
また、本発明の吸収性物品においては、上記したように、肌面シート体の開口部の内周の一部に沿って伸縮材（開口部伸縮材）を配置してもよい。このように構成することによって、吸収性物品の長手側の略中央部で二つ折りにして用いた場合に、肌面シート体が伸縮して、肌面シート体とトップシートとを確実に離隔させて、肌面シート体とトップシートとの間に空間を形成することができる。これにより、尿便用パッドとして用いた場合には、着用者の便を収容するのに十分な空間を確保することができる。また、男性用尿パッドとして用いた際には、男性器を開口部に挿入し良好に固定することができるとともに、着用者の男性器のサイズに応じて開口部を伸縮させることができる。
【００７３】
開口部伸縮材としては、従来の使い捨ておむつで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００７４】
開口部伸縮材の配置パターンは、前記効果を発揮し得るパターンである限り特に制限はないが、開口部に確実に伸縮力を作用させることができるようなパターンに配置されていることが好ましい。例えば、図１に示すように、開口部の内周の一部に沿って直線状に開口部伸縮材を配置してもよいし、例えば、図１８に示すように、開口部１１の周縁を取り囲むように開口部伸縮材１２を配置してもよい。また、図示は省略するが、例えば、円形、楕円形、菱形等のパターンで開口部伸縮材を配置してもよい。ここで、図１８は、本発明の吸収性物品の他の実施形態を示す平面図である。
【００７５】
なお、肌面シート体として、バックシートの両側縁から延出されたサイドフラップをトップシートの表面上に折り返すことによって形成したものを用いる場合には、それぞれの側縁から延出されたサイドフラップが重なり合う部位には、上記した開口部伸縮材を配置しないことが好ましい。このようにサイドフラップが重なり合う部分では、肌面シート体の厚さが厚くなるため、開口部伸縮材の伸縮力が作用され難くなることがある。
【００７６】
開口部伸縮材は、肌面シート体に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００７７】
開口部伸縮材は、開口部に十分な伸縮力を作用させるため、伸長状態で固定することが好ましい。例えば、開口部伸縮材が天然ゴムや合成ゴムである場合には、１２０〜４００％の伸長状態で固定することが好ましく、２００〜３００％の伸長状態で固定することがより好ましい。このような範囲の伸長状態で固定することにより、肌面シート体に十分な伸縮力を作用させ、かつ、開口部が必要以上に縮小されるのを防止することができる。
【００７８】
開口部伸縮材の配置方法は特に限定されないが、例えば、肌面シート体を２枚のシート材（アッパーシート及びライナーシート）を貼り合わせることにより構成し、アッパーシートとライナーシートの間に開口部伸縮材を挟み込むように配置することが好ましい。このような配置方法を採用すると、必要最小限の伸縮材により肌面シート体に伸縮力を付与することができるため好ましい。
【００７９】
なお、上記のような構成を採る場合であっても、肌面シート体は、開口部伸縮材を配置する部分が２枚のシート材によって構成されていれば足り、必ずしも肌面シート体全体が２枚のシート材によって構成されている必要はない。例えば、開口部伸縮材を配置する部分が２枚のシート材によって構成され、他の部分については１枚のシート材によって構成されたものであってもよい。
【００８０】
［５］吸収体：
吸収体は、着用者の尿を吸収し、保持するための部材である。吸収体は、着用者の尿や体液を吸収し保持する必要から、吸収性材料によって構成される。
【００８１】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として、熱融着繊維等の合成繊維を含んだものであってもよい。
【００８２】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００８３】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は、トップシートとバックシートの間の少なくとも一部に介装される。
【００８４】
吸収体は、その全体が親水性シートによって包み込まれていることが好ましい。このような構成は、吸収体からＳＡＰが漏洩することを防止し、吸収体に形状安定性を付与することができるという利点がある。
【００８５】
吸収体の形状については特に制限はないが、従来の使い捨ておむつ、その他の吸収性物品において使用される形状、例えば、矩形状、砂時計型、ひょうたん型、Ｔ字型等を挙げることができる。図１に示す吸収性物品１は吸収体２として、砂時計型の吸収体を用いた例である。このような砂時計型の吸収体は、吸収性物品の長手側の略中央部で二つ折りにして用いた場合に、肌面シート体とトップシートとの間に空間が形成され易く、特に好適に用いることができる。
【００８６】
また、例えば、図１２に示すように、吸収性物品１の長手方向の少なくとも一方の端部３２側に、端部伸縮材１５を配置する場合には、端部伸縮材１５を配置した吸収性物品１の端部側が収縮し易くなるように、図１９に示すように、矩形状や砂時計型等の吸収体２の角部に切り欠きが形成されていてもよい（図１９においては砂時計型の吸収体２の一方の角部に切り欠きが形成されていている）。また、例えば、図１７に示すように、その吸収性物品１の長手方向端部３２や側縁３１の一部に開口部１１が掛かるような切り欠き状の開口部１１が形成されている場合には、図２０に示すように、Ｔ字型の吸収体２を用いることができる。ここで、図１９及び図２０は、本発明の吸収性物品の他の実施形態を示す平面図である。
【００８７】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【００８８】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００８９】
［６］トップシート：
トップシートは、吸収体の表面（吸収性物品を装着した際に、着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【００９０】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。また、トップシートは単一のシート材によって構成されていてもよいが、複数のシート材によって構成されていてもよい。
【００９１】
［７］バックシート：
バックシートは、吸収体の裏面（吸収性物品を装着した際に、着用者の着衣側に位置する面）を被覆するように配置されるシートである。バックシートは、着用者の尿が吸収性物品の外部に漏洩してしまうことを防止する必要から、液不透過性材料によって構成される。また、上記したように、本発明の吸収性物品においては、このようなバックシートと肌面シート体とが一体的なシートから構成されていてもよい。
【００９２】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、吸収性物品の内部の蒸れを防止することができるという利点がある。
【００９３】
なお、バックシートには、その外表面側にシート材（カバーシート）を貼り合わせてもよい。このカバーシートは、バックシートを補強し、バックシートの手触り（触感）を良好なものとするために用いられる。
【００９４】
カバーシートを構成する材料としては、例えば、紙クロス、織布、不織布等を挙げることができる。中でも、紙クロスを用いることにより、かぶれ等のスキントラブルを有効に防止することができる。
【００９５】
また、本発明の吸収性物品においては、図２１に示すように、バックシート４の裏面に、衣類又はおむつに固定するための固定手段１６を有していてもよい。このような固定手段１６としては、例えば、粘着テープやメカニカルファスナー等を挙げることができる。このような固定手段１６を更に有するものであることにより、本発明の吸収性物品１を衣類やおむつ等の内面に固定することができ、吸収性物品１の位置ずれを有効に防止することができる。ここで、図２１は、本発明の吸収性物品の他の実施形態を示す平面図である。
【００９６】
上記した「メカニカルファスナー（面状ファスナーとも称される）」とは、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このファスナーは、ループ材の表面にフック材を重ね合わせ、フック材の多数の突起をループ材の表面に係合させることにより、両部材を着脱可能な状態に、且つ、強固に固着させることができるものである。メカニカルファスナーのフック材は、これと対応するメカニカルファスナーのループ材以外にも、織布、不織布、フェルト、パイル等の繊維状の表面を有する素材にも係合させることが可能であるので、繊維状の表面を有する素材からなる衣類やおむつに対して係合させて固定することができる。
【００９７】
このような固定手段の大きさや配置する位置については、吸収性物品を衣類やおむつ等の内面に固定することができ、吸収性物品の位置ずれが生じない程度の結合力が得られるものであれば特に制限はなく、例えば、バックシートの裏面全体に固定手段を配置してもよいし、バックシートの裏面の一部（例えば、図２１においては、吸収性物品の長手方向における端部側の二箇所）に配置してもよい。
【００９８】
［８］立体ギャザー：
立体ギャザーは、着用者の排泄した尿の横漏れを防止するための部材であり、立体的に起立可能なように構成された防漏壁である。本発明の吸収性物品においては、トップシートの表面に立体ギャザーが少なくとも一対形成されていてもいし、また、肌面シート体のトップシートと対向する面に立体ギャザーが少なくとも一対形成されていてもよい。
【００９９】
トップシートの表面に立体ギャザーが少なくとも一対形成されていている場合には、トップシートの表面を伝って尿が拡散してしなった場合でも、立体ギャザーが防波堤となり、尿の外部への漏れを有効に防止することができる。
【０１００】
また、肌面シート体のトップシートと対向する面に立体ギャザーが少なくとも一対形成されている場合には、この立体ギャザーが肌面シート体の開口部の逆止弁となるため、開口部からの排泄物の逆流を有効に防止することができる。
【０１０１】
これらの立体ギャザーの構成は、従来の使い捨ておむつ、その他の吸収性物品に使用される構成を採用することができる。例えば、シート材の一部に伸縮材（立体ギャザー伸縮材）を配置し、その立体ギャザー伸縮材によってシート材にギャザー（襞）を形成したもの等を好適に用いることができる。
【０１０２】
立体ギャザーを構成するシート材としては、立体ギャザーの防漏性を向上させるという観点から、撥水性材料を用いることが好ましい。撥水性材料としては、スパンボンドやカードエンボス等の不織布を用いてもよいが、耐水圧が高いという理由から、ＳＭＳ（スパンボンド／メルトブロー／スパンボンド）、ＳＭＭＳ（スパンボンド／メルトブロー／メルトブロー／スパンボンド）等の不織布を用いることが好ましい。
【０１０３】
このような立体ギャザーは、吸収性物品を構成するトップシートやバックシートとは、全く別個のシート材を、トップシートの両側縁部や、肌面シート体のトップシートと対向する面に貼り合わせることにより形成することができる。また、例えば、吸収性物品を構成するトップシートやバックシートの一部を折り返すことによって立体ギャザーを形成することもできる。
【０１０４】
立体ギャザー伸縮材としては、既に述べた開口部伸縮材と同様の伸縮材を用いることができる。立体ギャザー伸縮材は、一つの立体ギャザーにつき、単数配置しても複数配置してもよい。また、配置位置についても特に制限はない。例えば、立体ギャザーの下端縁（起立線）近傍、或いは立体ギャザーの上端縁と下端縁（起立線）との間等に配置してもよいが、立体ギャザーの上端縁近傍に配置することが好ましい。
【０１０５】
例えば、図２に示す吸収性物品１においては、トップシート３の表面に一対の立体ギャザー１３ａ，１３ｂが配置された例を示している。この立体ギャザー１３ａ，１３ｂは、り、立体ギャザーを構成するシート材の端部（立体ギャザー１３ａ，１３ｂの上端縁３４に相当する側の端部）を折り返し、その折り返し部分に２本の立体ギャザー伸縮材３６を挟み込むように配置したものである。また、図１０においては、肌面シート体５のトップシート３と対向する面に一対の立体ギャザー１４ａ，１４ｂが配置された例を示している。なお、この立体ギャザー１４は、図２に示す吸収性物品１に用いられた立体ギャザー１３と同様に構成されたものを用いることができる。
【０１０６】
立体ギャザーの高さ（下端縁から上端縁までの長さ）は、５〜８０ｍｍとすることが好ましく、１０〜４０ｍｍとすることが更に好ましい。５ｍｍ以上とすることにより、十分な防漏効果を確保することができることに加え、８０ｍｍ以下とすることによって、立体ギャザーがトップシートの表面を覆ってしまい、吸収効果を阻害する不具合を防止することができる。
【０１０７】
立体ギャザーの種類としては、（１）吸収性物品の内側に向かって傾倒する内倒しギャザー、（２）吸収性物品の外側に向かって傾倒する外倒しギャザー、（３）高さ方向の一部に、曲げ部や折り返し部を形成した立体ギャザー（Ｃ折りギャザーやＺ折りギャザー等）等を挙げることができる。なお、例えば、図２に示すような、一対の立体ギャザー１３ａ，１３ｂをトップシート３の表面に配置する場合には、防漏性が高い点において内倒しギャザーが好ましい。一方、図１０に示すような、一対の立体ギャザー１４ａ，１４ｂを肌面シート体５のトップシート３と対向する面に配置する場合には、開口部１１からの尿の逆流を有効に防止することができるように外倒しギャザーであることが好ましい。
【０１０８】
なお、本発明の使い捨ておむつにおいては、少なくとも一対の立体ギャザーが形成されていることが必要であるが、二対以上形成されていてもよい。
【０１０９】
［９］吸収性物品の製造方法：
次に、本発明の吸収性物品の製造方法の一の実施形態について、図面を参照しつつ具体的に説明する。本発明の吸収性物品の製造方法は、図１に示すような、吸収体２と、吸収体２の表面を被覆するように配置され、少なくとも一部が液透過性材料からなるトップシート３と、吸収体２の裏面を被覆するように配置され、液不透過性材料からなるバックシート４と、トップシート３の表面上に配置され、便を通過させ得る開口部及び／又は男性器を挿入し得る開口部１１が形成された肌面シート体５とを備え、衣類又はおむつの内部に装着されて排泄物吸収用として用いられる吸収性物品１の製造方法である。
【０１１０】
本発明の吸収性物品の製造方法は、図２２に示すように、まず、肌面シート体５（図１参照）の開口部１１（図１参照）となる切り欠き部４６が形成された肌面シート前駆体４５を、その両側縁に有するバックシート４４を得る（図２２中の（ａ）図）。このような肌面シート前駆体４５は、バックシート４４の両側縁からその側方に一体に延出されたサイドフラップとして形成することができる。この際、必要に応じて、肌面シート前駆体４５に、図１に示すような開口部伸縮材１２を配置してもよい。
【０１１１】
次に、このようにして得られたバックシート４４の表面に吸収体４２を配置するとともに、バックシート４４の表面に配置した吸収体４２の表面を被覆するようにトップシート４３を配置する（図２２中の（ｂ）図）。この際、必要に応じて、バックシート４４及び／又は肌面シート前駆体４５に、立体ギャザーを配置してもよい。
【０１１２】
次に、バックシート４４の両側縁から延出された肌面シート前駆体４５を、トップシート４３の表面上に折り返し、肌面シート前駆体４５の折り重なる部分を接合することによって、切り欠き部４６からなる開口部１１が形成された肌面シート体５を形成する（図２２中の（ｃ）図及び（ｄ）図）。このように構成することによって、図１に示すような、吸収体２と、トップシート３と、バックシート４と、肌面シート体５とを備えた吸収性物品１を製造することができる。
【０１１３】
このような吸収性物品の製造方法は、上記した本発明の吸収性物品を、簡便かつ低コストに製造することができる。特に、従来のテープ型おむつ等を生産するための既存の生産ラインを応用して生産することができるため、設備コストの面においても優れている。
【０１１４】
更に、本発明の吸収性物品の製造方法においては、肌面シート前駆体を折り返して形成した肌面シート体と、バックシートを、長手方向の少なくとも一方の端部側で接合する工程を更に含んだものであってもよい。このように構成することによって、肌面シート体が、バックシートの両側縁及びその長手方向の少なくとも一方の端部において接合されており、肌面シート体とトップシートとの間に袋状の空間が形成された吸収性物品（図５及び図６参照）を製造することができる。
【０１１５】
また、図２２中の（ｃ）図及び（ｄ）図に示す吸収性物品の製造方法においては、バックシート４４の両側縁からその側方に一体に延出された肌面シート前駆体４５を、トップシート４３の表面上に折り返す工程において、肌面シート前駆体４５を、吸収体４２の側縁より外側において、トップシート４３の表面上に折り返しているが、例えば、肌面シート前駆体を、吸収体の側縁の一部とともに、トップシートの表面上に折り返してもよい。このように構成することによって、図１３及び図１４に示すよな、バックシート４から延出された肌面シート体５が、吸収体２の側縁の一部とともに、トップシート３の表面上に折り返されて構成された吸収性物品１を製造することができる。
【０１１６】
また、本発明の吸収性物品の製造方法においては、バックシート及びトップシートとして各長尺シート材を用い、各長尺シート材をローラーから連続的に送出する方法・装置を採用し、吸収性物品の連続体（吸収性物品連続体）を形成した後に、得られた吸収性物品連続体を、所定の大きさに切断して吸収性物品を製造してもよい。このように構成することによって、生産性の向上に資する。
【産業上の利用可能性】
【０１１７】
本発明の吸収性物品は、衣類又はおむつの内部に配置して、排泄物を良好に吸収・保持させることができる。乳幼児用、或いは介護を必要とする高齢者や障害者等の成人用の尿便用パッド、又は男性用尿パッドとして好適に用いることができる。
【０１１８】
また、本発明の吸収性物品の製造方法は、上記した本発明の吸収性物品を、簡便かつ低コストに製造することができる。特に、発明の吸収性物品の製造方法は、従来のテープ型おむつ等を生産するための既存の生産ラインを応用して生産することができるため、設備コストの面においても優れている。
【図面の簡単な説明】
【０１１９】
【図１】本発明の吸収性物品の一の実施形態を示す平面図である。
【図２】図１に示す吸収性物品をＡ−Ａ’線に沿って切断した断面を示す概略断面図である。
【図３】図１に示す吸収性物品をＢ−Ｂ’線に沿って切断した断面を示す概略断面図である。
【図４】図１に示す吸収性物品を男性用尿パッドとして用いた際の着用状態を示す説明図である。
【図５】本発明の吸収性物品の他の実施形態を示す平面図である。
【図６】図５に示す吸収性物品をＣ−Ｃ’線に沿って切断した断面を示す概略断面図である。
【図７】本発明の吸収性物品の一の実施形態を展開した状態を示す平面図である。
【図８】本発明の吸収性物品の一の実施形態を展開した状態を示す平面図である。
【図９】本発明の吸収性物品の他の実施形態を示す平面図である。
【図１０】図９に示す吸収性物品をＤ−Ｄ’線に沿って切断した断面を示す概略断面図である。
【図１１】本発明の吸収性物品の他の実施形態を示す平面図である。
【図１２】本発明の吸収性物品の他の実施形態を示す平面図である。
【図１３】本発明の吸収性物品の他の実施形態を示す平面図である。
【図１４】図１３に示す吸収性物品をＥ−Ｅ’線に沿って切断した断面を示す概略断面図である。
【図１５】図１に示す吸収性物品を長手側の略中央部にて折り曲げた状態を示す斜視図である。
【図１６】本発明の吸収性物品の他の実施形態を示す平面図である。
【図１７】本発明の吸収性物品の他の実施形態を示す平面図である。
【図１８】本発明の吸収性物品の他の実施形態を示す平面図である。
【図１９】本発明の吸収性物品の他の実施形態を示す平面図である。
【図２０】本発明の吸収性物品の他の実施形態を示す平面図である。
【図２１】本発明の吸収性物品の他の実施形態を示す平面図である。
【図２２】本発明の吸収性物品の製造方法の一の実施形態の工程を示す工程図である。
【図２３】従来の男性用尿パッドの一の実施形態を示す平面図であり、尿パッドを表面シート側から見た状態を示す一部切り欠き平面図である。
【符号の説明】
【０１２０】
１：吸収性物品、１ａ：男性用尿パッド、１ｂ：尿便パッド、２，４２：吸収体、３，４３：トップシート、４，４４：バックシート、５：肌面シート体、５ａ，５ｂ：サイドフラップ、１１：開口部、１２：伸縮材（開口部伸縮材）、１３，１３ａ，１３ｂ，１４，１４ａ，１４ｂ：立体ギャザー、１５：伸縮材（端部伸縮材）、１６：固定手段、１７：接合部、２１：男性器、３１，３１ａ，３１ｂ：側縁、３２，３２ａ，３２ｂ：端部、３３：袋状の空間、３４：上端縁、３６：立体ギャザー伸縮材、４５：肌面シート前駆体、４６：切り欠き部、１００：男性用尿パッド、１０２：表面シート、１０４：裏面シート、１０６：吸収体、１０８：粘着部、１１０：上端縁、１１２：右側縁、１１４：左側縁、１１６：下端縁、１１８：男性器、１３８：パッド伸縮材。
【図１】
2008125562.tif 000003
【図２】
2008125562.tif 000004
【図３】
2008125562.tif 000005
【図４】
2008125562.tif 000006
【図５】
2008125562.tif 000007
【図６】
2008125562.tif 000008
【図７】
2008125562.tif 000009
【図８】
2008125562.tif 000010
【図９】
2008125562.tif 000011
【図１０】
2008125562.tif 000012
【図１１】
2008125562.tif 000013
【図１２】
2008125562.tif 000014
【図１３】
2008125562.tif 000015
【図１４】
2008125562.tif 000016
【図１５】
2008125562.tif 000017
【図１６】
2008125562.tif 000018
【図１７】
2008125562.tif 000019
【図１８】
2008125562.tif 000020
【図１９】
2008125562.tif 000021
【図２０】
2008125562.tif 000022
【図２１】
2008125562.tif 000023
【図２２】
2008125562.tif 000024
【図２３】
2008125562.tif 000025